(57)【要約】眼鏡フレームの装着を容易にするとともに、よりホールド性に優れた眼鏡フレーム用テンプルおよびこれを備えた眼鏡フレームを提供する。姿勢保持部材３４は、可撓性を有し、当接部材３３の後端部３３ｒが内方に向かうように連結部材３２に沿った状態に湾曲した第１姿勢（図１（ａ））と、当接部材３３の後端部３３ｒが外方に向かうように内方に向けて凸状に湾曲した第２姿勢（図１（ｂ））とに切り替わる。
2007145157.tif 000002
【特許請求の範囲】
【請求項１】
前端部側が前枠に取り付け可能に構成されるテンプル本体と、
当該テンプル本体の後端部側に連結された連結部材と、
当該連結部材の後端部側に配設され、当該後端部より後方に延設された部分が内方に回動可能に取り付けられる当接部材と、
後端部側が前記当接部材の前端部側に連設される一方、前端部側が前記連結部材の内側かつ当接部材取り付け位置より前方に離間した位置に取り付けられる姿勢保持部材とを具備し、
前記姿勢保持部材は、可撓性を有し、前記当接部材の後端部が内方に向かうように前記連結部材に沿った状態に湾曲した第１姿勢と、当接部材の後端部が外方に向かうように内方に向けて凸状に湾曲した第２姿勢とに切り替わることを特徴とする眼鏡フレーム用テンプル。
【請求項２】
前記連結部材は、前記テンプル本体に着脱自在に構成されることを特徴とする請求項１記載の眼鏡フレーム用テンプル。
【請求項３】
前記連結部材は、内側かつ前記当接部材取り付け位置より前方に離間した位置に、前記姿勢保持部材の前端部を前後方向にスライドさせるガイド部材を具備し、
前記姿勢保持部材の前端部は、前記ガイド部材に対して前後方向にスライドするスライド部材を具備し、
前記姿勢保持部材の前端部は、前記姿勢保持部材が前記第１姿勢から前記第２姿勢に切り替わる際には前後方向の一方にスライドし、前記姿勢保持部材が前記第２姿勢から前記第１姿勢に切り替わる際には前後方向の他方にスライドすることを特徴とする請求項１又は２に記載の眼鏡フレーム用テンプル。
【請求項４】
前端部側が前枠に取り付け可能に構成されるテンプル本体と、
当該テンプル本体の後端部側に配設され、当該後端部より後方に延設された部分が内方に回動可能に取り付けられる当接部材と、
後端部側が前記当接部材の前端部側に連設される一方、前端部側が前記テンプル本体の内側かつ当接部材取り付け位置より前方に離間した位置に取り付けられる姿勢保持部材とを具備し、
前記姿勢保持部材は、可撓性を有し、前記当接部材の後端部が内方に向かうように前記テンプル本体に沿った状態に湾曲した第１姿勢と、当接部材の後端部が外方に向かうように内方に向けて凸状に湾曲した第２姿勢とに切り替わることを特徴とする眼鏡フレーム用テンプル。
【請求項５】
前記テンプル本体は、内側かつ前記当接部材取り付け位置より前方に離間した位置に、前記姿勢保持部材の前端部を前後方向にスライドさせるガイド部材を具備し、
前記姿勢保持部材の前端部は、前記ガイド部材に対して前後方向にスライドするスライド部材を具備し、
前記姿勢保持部材の前端部は、前記姿勢保持部材が前記第１姿勢から前記第２姿勢に切り替わる際には前後方向の一方にスライドし、前記姿勢保持部材が前記第２姿勢から前記第１姿勢に切り替わる際には前後方向の他方にスライドすることを特徴とする請求項４に記載の眼鏡フレーム用テンプル。
【請求項６】
前記当接部材および前記姿勢保持部材は、一体成型されていることを特徴とする請求項１〜５のいずれかに記載の眼鏡フレーム用テンプル。
【請求項７】
請求項１〜６のいずれかに記載の眼鏡フレーム用テンプルを具備することを特徴とする眼鏡フレーム。
【請求項８】
レンズを保持する前枠の両端からそれぞれ後方に延出する一対のテンプル本体に取り付け可能に構成される眼鏡フレーム用取り付け具であって、
前記テンプル本体の後端部側に連結可能に構成される連結部材と、
当該連結部材の後端部側に配設され、当該後端部より後方に延設された部分がテンプル本体への装着時における内方に回動可能に取り付けられる当接部材と、
後端部側が前記当接部材の前端部側に連設される一方、前端部側が前記連結部材のテンプル本体への装着時における内側かつ当接部材取り付け位置より前方に離間した位置に取り付けられる姿勢保持部材とを具備し、
前記姿勢保持部材は、可撓性を有し、前記当接部材の後端部がテンプル本体への装着時における内方に向かうように前記連結部材に沿った状態に湾曲した第１姿勢と、当接部材の後端部がテンプル本体への装着時における外方に向かうようにテンプル本体への装着時における内方に向けて凸状に湾曲した第２姿勢とに切り替わることを特徴とする眼鏡フレーム用取り付け具。
【請求項９】
前記連結部材は、前記連結部材のテンプル本体への装着時における内側かつ前記当接部材取り付け位置より前方に離間した位置に、前記姿勢保持部材の前端部を前後方向にスライドさせるガイド部材を具備し、
前記姿勢保持部材の前端部は、前記ガイド部材に対して前後方向にスライドするスライド部材を具備し、
前記姿勢保持部材の前端部は、前記姿勢保持部材が前記第１姿勢から前記第２姿勢に切り替わる際には前後方向の一方にスライドし、前記姿勢保持部材が前記第２姿勢から前記第１姿勢に切り替わる際には前後方向の他方にスライドすることを特徴とする請求項８に記載の眼鏡フレーム用取り付け具。
【発明の詳細な説明】
【技術分野】
【０００１】
本発明は、眼鏡フレーム用テンプル、それを備えた眼鏡フレームおよび眼鏡フレームのテンプル本体に取り付け可能な眼鏡フレーム用取り付け具に関する。
【背景技術】
【０００２】
眼鏡フレームは、通常、前枠、当該前枠の両端からそれぞれ後方に延出するテンプル、および丁番等のフレーム部材が連結されて構成されている。このような眼鏡フレームにおいては、デザイン性の観点より、いわゆるストレートテンプル（テンプルの後端部が下方に湾曲していない、または湾曲の少ないテンプル）を具備する眼鏡フレームも数多く存在する。【０００３】
このようなストレートテンプルを具備する眼鏡フレームにおいては、一般的に、使用者の頭部の側面に沿うように（使用者の耳裏から後頭部に沿うように）テンプル後端部側を外方に向けて凸状に湾曲させるとともに、頭部の両側面に押圧力（ばね力）を付与するようにテンプル全体が回動方向に付勢されている。【０００４】
しかしながら、このようにテンプル後端部側が使用者の頭部の側面に沿うように外方に向けて凸状に湾曲していると、左右のテンプルの後端部間の距離が頭部の幅よりも狭くなる。このため、上記眼鏡フレームを装着するに先立って、頭部の両側面に付勢される押圧力に抗してテンプルを頭部の幅程度または頭部の幅より大きく開いた状態にしなければならない。よって、上記のようなストレートテンプルを具備する眼鏡フレームは、装着し難いという問題がある。また、ストレートテンプルは、使用者の耳裏に当接される部分が少ないため、後端部が下方に湾曲した通常のテンプルに比べると、眼鏡フレーム装着時において、眼鏡フレームを安定した状態に保持するホールド性に劣る。【０００５】
これに対し、例えば、前枠に継ぎ手を介して連結される第１テンプルと、第１テンプルの先端に軸を介して揺動可能に取り付けられる第２テンプルとからなり、第２テンプルが軸支される位置が第２テンプルの内端から所定の距離離れた眼鏡フレーム用テンプルが公知となっている（日本国実用新案第３０８１２６１号公報参照）。【０００６】
このような眼鏡フレーム用テンプルにおいては、第２テンプルが第１テンプルの先端に軸を介して揺動可能に取り付けられるので、ホールド性は向上する。しかしながら、第２テンプルの内端から軸支されるまでの部位（特許文献１の図１および図３中Ｌの範囲）は、使用者が顔を動かしたり、運動等を行ったりして頭部の側方に触れることにより、眼鏡フレーム装着時であっても第２テンプルが僅かに揺動する恐れがある。第２テンプルが揺動すると、ホールド性を良好に維持することができないという問題が生じる。また、このような眼鏡フレーム用テンプルは、第１テンプルと第２テンプルとを軸支する構成であるため、繰り返し使用しているうちに軸部材が劣化し易いという問題もあった。
【発明の開示】
【０００７】
本発明はかかる従来技術の問題点を解決すべくなされたものであり、眼鏡フレームの装着を容易にするとともに、よりホールド性に優れた眼鏡フレーム用テンプル、これを備えた眼鏡フレームおよび眼鏡フレームのテンプル本体に取り付け可能な眼鏡フレーム用取り付け具を提供することを目的とする。
【０００８】
本発明に係る眼鏡フレーム用テンプルの一の態様は、前端部側が前枠に取り付け可能に構成されるテンプル本体と、当該テンプル本体の後端部側に連結された連結部材と、当該連結部材の後端部側に配設され、当該後端部より後方に延設された部分が内方に回動可能に取り付けられる当接部材と、後端部側が前記当接部材の前端部側に連設される一方、前端部側が前記連結部材の内側かつ当接部材取り付け位置より前方に離間した位置に取り付けられる姿勢保持部材とを具備し、前記姿勢保持部材は、可撓性を有し、前記当接部材の後端部が内方に向かうように前記連結部材に沿った状態に湾曲した第１姿勢と、当接部材の後端部が外方に向かうように内方に向けて凸状に湾曲した第２姿勢とに切り替わることを特徴とするものである。
【０００９】
上記構成の眼鏡フレーム用テンプルによれば、眼鏡フレームの前枠に取り付け可能なテンプル本体の後端部に連結部材が連結される。さらに、連結部材の後端部に当接部材が配設されるとともに、当接部材の、連結部材の後端部より後方に延設された部分が内方に回動可能に構成される。一方、当接部材の前端部側に姿勢保持部材の後端部側が連設されるとともに、姿勢保持部材の前端部側が連結部材の内側であって、しかも当該連結部材の当接部材取り付け位置より前方に離間した位置に取り付けられる。
【００１０】
ここで、使用者が眼鏡フレームを装着する際には、姿勢保持部材を第２姿勢に切り替えると、姿勢保持部材が内方に向けて凸状に湾曲する。このように姿勢保持部材が湾曲することにより、姿勢保持部材に連設された当接部材の後端部が外方に向けて旋回した状態を保持する。したがって、当接部材の後端部が外方に向いた状態で保持されることにより、左右の当接部材の後端部間の距離が比較的広くなった状態が保持されるため、眼鏡フレームの装着を容易に行うことができる。取り外す際も同様である。また、眼鏡フレーム装着後において、姿勢保持部材を第１姿勢に切り替えることにより、当該姿勢保持部材が連結部材に沿った状態に湾曲して、姿勢保持部材に連設された当接部材の後端部が内方に向けて旋回する。後端部が内方に向けて旋回することにより、当接部材が使用者の頭部側面に沿うように（使用者の耳裏から後頭部に向かって）使用者の頭部側面に当接した状態が保持される。こうして、装着時の眼鏡フレームのホールド性をより向上させることができる。特に、テンプル本体が略直線または僅かに湾曲したストレートテンプルの場合であっても上記ホールド性の向上を図ることができる。
【００１１】
以上のように、姿勢保持部材を用いて、頭部に当接される当接部材の後端部の向きを内方および外方に切り替え可能とすることにより、眼鏡フレームの装着を容易にすることができるとともに、ホールド性をより向上させることができる。特に、テンプル本体が略直線または僅かに湾曲したストレートテンプルの場合であっても上記ホールド性の向上を図ることができる。
【００１２】
また、姿勢保持部材を連結部材の内側に備えることにより、外観の意匠を損ねることなく上記効果を達成することができる。さらに、頭部が進入する内側において連結部材と当接部材との間を連結して、部材間の切れ目をなくすことにより、髪の毛等が引っ掛かったり、頭部に違和感を与えることなく眼鏡フレームを装着することができる。
【００１３】
なお、上記における前方（前端部側）は、テンプルを眼鏡フレームに取り付けた際のテンプル展開時における前方（前枠側）を意味する。また、後方（後端部側）は、テンプルを眼鏡フレームに取り付けた際のテンプル展開時における後方（耳裏側）を意味する。また、内方は、テンプルを眼鏡フレームに取り付けた際のテンプル展開時における内方（頭部側）を意味する。また、外方は、テンプルを眼鏡フレームに取り付けた際のテンプル展開時における外方を意味する。
【００１４】
好ましくは、前記連結部材は、前記テンプル本体に着脱自在に構成される。
【００１５】
この場合、連結部材とテンプル本体とは、着脱自在となっている。テンプル本体から連結部材を取り外すことにより、連結部材およびそれに取り付けられている当接部材ならびに姿勢保持部材を眼鏡フレームから取り外すことができる。したがって、本発明の一の態様に係る眼鏡フレーム用テンプルを、テンプル本体のみで使用したり、テンプル本体に連結部材を取り付けて使用したりと使用者の使用状況（ＴＰＯ）に応じて使い分けることができる。例えば、スポーツ等により、頭部を頻繁に動かす（揺れる）場合には連結部材をテンプル本体に接続してホールド性を高める一方、普段の使用時には、テンプル本体のみを使用して、もしくは、テンプル本体の後端部に連結部材の代わりに一般的な（当接部材や姿勢保持部材を有しない）モダン（耳当て部材）を取り付けた状態で使用して、ファッション性（意匠性）を優先させるといった使い分けを行うことができる。
【００１６】
本発明の一の態様に係る眼鏡フレーム用テンプルは、前述のように、姿勢保持部材を第１姿勢に切り替えると、当接部材が使用者の頭部側面に当接した状態で保持されることにより、ホールド性が向上する。第１姿勢とは、前述のように、姿勢保持部材が連結部材に沿った状態に湾曲した姿勢であるため、姿勢保持部材を第１姿勢に切り替えるためには、姿勢保持部材が連結部材に沿った状態で湾曲することが可能な長さであることが必要である。よって、姿勢保持部材が長過ぎたり、短すぎたりすると、姿勢保持部材が連結部材に沿った状態で湾曲しないため、本発明の一態様に係る眼鏡フレーム用テンプルのホールド性があまり向上しない。ホールド性があまり向上しないのは、姿勢保持部材が連結部材に沿った状態に湾曲した姿勢でない場合、即ち、姿勢保持部材が連結部材に沿わない場合、当接部材が使用者の頭部側面に当接した状態を保持し難くなるためである。これは、姿勢保持部材が連結部材に沿わない場合、姿勢保持部材が頭部側面に当接し、姿勢保持部材を介して当接部材が頭部側面によって外方に押圧され、当接部材が使用者の頭部側面から離れようとする力が働き易くなるためである。そこで、本出願人は、このような原因により眼鏡フレームのホールド性の向上が妨げられることを防止した下記の好ましい構成を提供する。
【００１７】
かかる好ましい構成は、前記連結部材は、内側かつ前記当接部材取り付け位置より前方に離間した位置に、前記姿勢保持部材の前端部を前後方向にスライドさせるガイド部材を具備し、前記姿勢保持部材の前端部は、前記ガイド部材に対して前後方向にスライドするスライド部材を具備し、前記姿勢保持部材の前端部は、前記姿勢保持部材が前記第１姿勢から前記第２姿勢に切り替わる際には前後方向の一方にスライドし、前記姿勢保持部材が前記第２姿勢から前記第１姿勢に切り替わる際には前後方向の他方にスライドする構成とされる。
【００１８】
かかる好ましい構成によれば、第２姿勢から第１姿勢に姿勢保持部材を切り替えようとすると、姿勢保持部材の前端部のスライド部材が前後方向にスライドする。このように前端部（スライド部材）が前後方向にスライドすることで、姿勢保持部材の長さに関わらず、姿勢保持部材が連結部材に沿った状態に湾曲した姿勢（第１姿勢）を取ることができる。よって、かかる好ましい構成によれば、姿勢保持部材の長さに関わらず、姿勢保持部材が連結部材に沿うため、眼鏡フレームのホールド性の維持が可能である。
【００１９】
また、本発明に係る眼鏡フレーム用テンプルの他の態様は、前端部側が前枠に取り付け可能に構成されるテンプル本体と、当該テンプル本体の後端部側に配設され、当該後端部より後方に延設された部分が内方に回動可能に取り付けられる当接部材と、後端部側が前記当接部材の前端部側に連設される一方、前端部側が前記テンプル本体の内側かつ当接部材取り付け位置より前方に離間した位置に取り付けられる姿勢保持部材とを具備し、前記姿勢保持部材は、可撓性を有し、前記当接部材の後端部が内方に向かうように前記テンプル本体に沿った状態に湾曲した第１姿勢と、当接部材の後端部が外方に向かうように内方に向けて凸状に湾曲した第２姿勢とに切り替わることを特徴とするものである。
【００２０】
上記構成の眼鏡フレーム用テンプルによれば、眼鏡フレームの前枠に取り付け可能なテンプル本体の後端部に当接部材が連設される。また、当接部材の、テンプル本体の後端部より後方に延設された部分が内方に回動可能に構成される。一方、当接部材の前端部側に姿勢保持部材の後端部側が連設されるとともに、姿勢保持部材の前端部側がテンプル本体の内側であって、しかも当該テンプル本体の当接部材取り付け位置より前方に離間した位置に取り付けられる。
【００２１】
ここで、使用者が眼鏡フレームを装着する際には、姿勢保持部材を第２姿勢に切り替える。このとき、姿勢保持部材が内方に向けて凸状に湾曲することにより、姿勢保持部材に連設された当接部材の後端部が外方に向けて旋回した状態を保持する。したがって、当接部材の後端部が外方に向いた状態で保持されることにより、左右の当接部材の後端部間の距離が比較的広くなった状態が保持されるため、眼鏡フレームの装着を容易に行うことができる。取り外す際も同様である。また、眼鏡フレーム装着後において、姿勢保持部材を第１姿勢に切り替えることにより、当該姿勢保持部材がテンプル本体に沿った状態に湾曲して、姿勢保持部材に連設された当接部材の後端部が内方に向けて旋回する。後端部が内方に向けて旋回することにより、当接部材が、使用者の頭部側面に沿うように（使用者の耳裏から後頭部に向かって）使用者の頭部側面に当接した状態が保持される。こうして、装着時の眼鏡フレームのホールド性をより向上させることができる。特に、テンプル本体が略直線または僅かに湾曲したストレートテンプルの場合であっても上記ホールド性の向上を図ることができる。
【００２２】
以上のように、姿勢保持部材を用いて、頭部に当接される当接部材の後端部の向きを内方および外方に切り替え可能とすることにより、眼鏡フレームの装着を容易にすることができるとともに、ホールド性をより向上させることができる。特に、テンプル本体が略直線または僅かに湾曲したストレートテンプルの場合であっても上記ホールド性の向上を図ることができる。
【００２３】
また、姿勢保持部材をテンプル本体の内側に備えることにより、外観の意匠を損ねることなく上記効果を達成することができる。さらに、頭部が進入する内側において、テンプル本体と当接部材との間を連結して、部材間の切れ目をなくすることにより、髪の毛等が引っ掛かったり、頭部に違和感を与えることなく眼鏡フレームを装着することができる。
【００２４】
また、本発明の他の態様に係る眼鏡フレーム用テンプルにおいて、好ましくは、前記テンプル本体は、内側かつ前記当接部材取り付け位置より前方に離間した位置に、前記姿勢保持部材の前端部を前後方向にスライドさせるガイド部材を具備し、前記姿勢保持部材の前端部は、前記ガイド部材に対して前後方向にスライドするスライド部材を具備し、前記姿勢保持部材の前端部は、前記姿勢保持部材が前記第１姿勢から前記第２姿勢に切り替わる際には前後方向の一方にスライドし、前記姿勢保持部材が前記第２姿勢から前記第１姿勢に切り替わる際には前後方向の他方にスライドする構成とされる。
【００２５】
かかる好ましい構成によれば、本発明の一の態様に係る眼鏡フレーム用テンプルの好ましい構成と同様の作用によって、姿勢保持部材の長さに関わらず、姿勢保持部材が連結部材に沿うため、眼鏡フレームのホールド性の維持が可能である。
【００２６】
好ましくは、前記当接部材および前記姿勢保持部材は、一体成型されているように構成される。
【００２７】
この場合、当接部材および姿勢保持部材が一部品で構成される。したがって、かかる好ましい構成によれば、部品点数を少なくして軽量化を図りつつ、コストを低減させることができる。また、別部品にて構成する場合に比べて、部材の耐久性を向上させることができる。
【００２８】
また、本発明に係る眼鏡フレームは、上記構成の眼鏡フレーム用テンプルを具備することを特徴とするものである。
【００２９】
また、本発明に係る眼鏡フレーム用取り付け具は、レンズを保持する前枠の両端からそれぞれ後方に延出する一対のテンプル本体に取り付け可能に構成される眼鏡フレーム用取り付け具であって、前記テンプル本体の後端部側に連結可能に構成される連結部材と、当該連結部材の後端部側に配設され、当該後端部より後方に延設された部分がテンプル本体への装着時において内方に回動可能に取り付けられる当接部材と、後端部側が前記当接部材の前端部側に連設される一方、前端部側が前記連結部材のテンプル本体への装着時において内側かつ当接部材取り付け位置より前方に離間した位置に取り付けられる姿勢保持部材とを具備し、前記姿勢保持部材は、可撓性を有し、前記当接部材の後端部がテンプル本体への装着時において内方に向かうように前記連結部材に沿った状態に湾曲した第１姿勢と、当接部材の後端部がテンプル本体への装着時において外方に向かうようにテンプル本体への装着時において内方に向けて凸状に湾曲した第２姿勢とに切り替わることを特徴とするものである。
【００３０】
本発明に係る眼鏡フレーム用取り付け具において、好ましくは、前記連結部材は、前記連結部材のテンプル本体への装着時における内側かつ前記当接部材取り付け位置より前方に離間した位置に、前記姿勢保持部材の前端部を前後方向にスライドさせるガイド部材を具備し、前記姿勢保持部材の前端部は、前記ガイド部材に対して前後方向にスライドするスライド部材を具備し、前記姿勢保持部材の前端部は、前記姿勢保持部材が前記第１姿勢から前記第２姿勢に切り替わる際には前後方向の一方にスライドし、前記姿勢保持部材が前記第２姿勢から前記第１姿勢に切り替わる際には前後方向の他方にスライドする構成とされる。
【００３１】
かかる好ましい構成によれば、本発明の一の態様に係る眼鏡フレーム用テンプルの好ましい構成と同様の作用によって、姿勢保持部材の長さに関わらず、姿勢保持部材が連結部材に沿うため、眼鏡フレームのホールド性の維持が可能である。
【００３２】
本発明に係る眼鏡フレーム用テンプル、眼鏡フレームおよび眼鏡フレーム用取り付け具によれば、姿勢保持部材を用いて、当接部材の後端部の向きを内方および外方に切り替え可能とすることにより、眼鏡フレームの装着を容易にすることができるとともに、ホールド性をより向上させることができる。特に、テンプル本体が略直線または僅かに湾曲したストレートテンプルの場合であっても上記ホールド性の向上を図ることができる。
【００３３】
また、姿勢保持部材を連結部材またはテンプル本体の内側に備えることにより、外観の意匠を損ねることなく上記効果を達成することができる。さらに、頭部が進入する内側において、部材間の切れ目をなくすることにより、髪の毛等が引っ掛かったり、頭部に違和感を与えることなく眼鏡フレームを装着することができる。
【図面の簡単な説明】
【００３４】
【図１】図１は、本発明に係る第１実施形態における眼鏡フレームの概略図である。
【図２】図２は、図１の眼鏡フレームにおける側面図である。
【図３】図３は、図１の眼鏡フレームにおいて連結部材を取り外したときの平面図である。
【図４】図４は、第１実施形態に係るテンプルの変形例を示す平面図である。
【図５】図５は、ガイド部材とスライド部材との外観図である。
【図６】図６は、本発明に係る第２実施形態における眼鏡フレームの概略図である。
【発明を実施するための最良の形態】
【００３５】
以下、本発明に係る眼鏡フレーム用テンプル、これを備えた眼鏡フレームおよび眼鏡フレームのテンプル本体に取り付け可能な眼鏡フレーム用取り付け具の好ましい実施形態について、添付図面を参照しつつ説明する。図１は本発明に係る第１実施形態における眼鏡フレームの概略図である。図１（ａ）は第１姿勢における平面図であり、図１（ｂ）は第２姿勢における平面図である。また、図２は図１の眼鏡フレームにおける側面図である。【００３６】
本実施形態における眼鏡フレーム１は、レンズ１０を保持する前枠２と、当該前枠２の両端からそれぞれ後端部側に延出する左右のテンプル３と、前枠２の両端側で左右のテンプル３をそれぞれ開閉させるための丁番４とを具備している。前枠２には、鼻当て用のパッド５が取り付けられている。眼鏡フレーム１は、当該パッド５を鼻に掛けるとともに、後述する当接部材３３を耳の裏側（耳と頭との間）に当接させることによって、着用するものである。なお、以下の実施形態における前方（前端部側）および後方（後端部側）は、図１のように、テンプル３を眼鏡フレーム１に取り付けた際のテンプル３の展開時における前方（前枠側）および後方（耳裏側）を意味する。また、内方および外方も、テンプル３を眼鏡フレーム１に取り付けた際のテンプル展開時における内方（頭部側）および外方を意味する。【００３７】
本発明に係る眼鏡フレームに取り付けられたテンプル３は、前端部３１ｆ側が前枠２に取り付けられたテンプル本体３１と、当該テンプル本体３１の後端部３１ｒ側に連結された連結部材３２と、当該連結部材３２の後端部３２ｒ側に配設され、当該後端部３２ｒより後方に延設された部分が、軸部材３５の軸回りに回動可能とすることにより、内方に回動可能に取り付けられる当接部材３３と、後端部３４ｒ側が前記当接部材３３の前端部３３ｆ側に連設される一方、前端部３４ｆ側が前記連結部材３２の内側かつ当接部材３３取り付け位置（軸部材３５）より前方に離間した位置（連結部材３２の前端部３２ｆ近傍）に固定部材３６により取り付けられる姿勢保持部材３４とを具備する。そして、前記姿勢保持部材３４は、可撓性を有し、前記当接部材３３の後端部３３ｒが内方に向かうように前記連結部材３２に沿った状態に湾曲した第１姿勢（図１（ａ））と、当接部材３３の後端部３３ｒが外方に向かうように内方に向けて凸状に湾曲した第２姿勢（図１（ｂ））とに切り替わることを特徴とするものである。【００３８】
上記構成の眼鏡フレーム１におけるテンプル３によれば、眼鏡フレーム１の前枠２に丁番４を介して回動可能に取り付けられたテンプル本体３１の後端部３１ｒ側に連結部材３２が連結される。本実施形態においては、連結部材３２の前端部３２ｆに開口部を有する挿通口が設けられ、当該挿通口にテンプル本体３１の後端部３１ｒが挿通されて連結されている（図１の破線部参照）。さらに、連結部材３２の後端部３２ｒに頭部に当接される当接部材３３が配設され、連結部材３２の後端部３２ｒより後方に延設された部分が、ピンまたはねじ等の軸部材３５の軸回りに回動可能とすることにより、内方に回動可能に構成される。一方、当接部材３３の前端部３３ｆ側に姿勢保持部材３４の後端部３４ｒ側が連設される。本実施形態においては、当接部材３３および姿勢保持部材３４は、一体成型されている。さらに、姿勢保持部材３４の前端部３４ｆ側は、連結部材３２の内側であって、しかも当該連結部材３２の当接部材３３を取り付けた位置（軸部材３５）より前方に離間した位置に固定部材３６を用いて取り付けられる。【００３９】
姿勢保持部材３４は、可撓性を有する部材であれば、例えば、エラストマ（天然ゴム、合成ゴム等の弾性を有する高分子物質）や形状記憶合金等で形成された板ばね等、種々の弾性部材が採用可能である。また、撓む方向を当接部材３３の回動可能な方向に略平行にする（軸部材３５の軸方向に当接部材３３がぶれないようにする）ために当該軸方向に長い断面形状であることが好ましい。当該断面形状は、楕円形状、半円形状、板状等、種々適用可能である。姿勢保持部材３４は、中空でも無垢でもよく、繊維状に編み込んで形成されてもよい。【００４０】
姿勢保持部材３４と当接部材３３とが一体成型されている場合においては、可撓性を有する材料により一体成型された部材のうち、当接部材相当箇所に金属板等の芯材を内蔵することとしてもよい。本実施形態の固定部材３６は、姿勢保持部材３４と同様の材料で形成された環状体であって、連結部材３２の前端部３２ｆ側に挿通した上で固定される。また、本実施形態の固定部材３６は、姿勢保持部材３４と一体成型されたものであるが、これに限られず、同一または別の材料により形成された固定部材３６を姿勢保持部材３４に取り付けることとしてもよい。また、姿勢保持部材３４（および当接部材３３）と連結部材３２とを一体成型することとしてもよい。【００４１】
ここで、本実施形態の眼鏡フレーム１の使用態様について説明する。まず、使用者が眼鏡フレーム１を装着する際には、姿勢保持部材３４を第２姿勢（図１（ｂ））に切り替える。このとき、姿勢保持部材３４が内方に向けて凸状に湾曲することにより、姿勢保持部材３４に連設された当接部材３３の後端部３３ｒが外方に向けて旋回した状態を保持する。したがって、当接部材３３の後端部３３ｒが外方に向いた状態で保持されることにより、左右の当接部材３３の後端部３３ｒ間の距離（頭部が挿通する部分の距離）Ｘ２が後述する第１姿勢における後端部３３ｒ間の距離Ｘ１よりも広くなった状態が保持される。このため、眼鏡フレーム１の装着を容易に行うことができる。取り外す際も同様である。【００４２】
また、眼鏡フレーム１の装着後において、姿勢保持部材３４を第１姿勢（図１（ａ））に切り替えることにより、当該姿勢保持部材３４が連結部材３２に沿った状態に湾曲して、姿勢保持部材３４に連設された当接部材３３の後端部３３ｒが内方に向けて旋回する。後端部３３ｒが内方に向けて旋回することにより、当接部材３３が、使用者の頭部側面に沿うように（使用者の耳裏から後頭部に向かって）使用者の頭部側面に当接した状態が保持される。こうして、装着時の眼鏡フレーム１のホールド性をより向上させることができる。特に、テンプル本体３１が図１のように僅かに湾曲したストレートテンプルの場合であっても上記ホールド性の向上を図ることができる。【００４３】
以上のように、姿勢保持部材３４を用いて、頭部に当接される当接部材３３の後端部３３ｒの向きを内方および外方に切り替え可能とすることにより、眼鏡フレーム１の装着を容易にすることができるとともに、ホールド性をより向上させることができる。特に、テンプル本体３１が略直線または僅かに湾曲したストレートテンプルの場合であっても上記ホールド性の向上を図ることができる。【００４４】
また、姿勢保持部材３４を連結部材３２の内側に備えることにより、図２に示すように、外観の意匠を損ねることなく上記効果を達成することができる。さらに、頭部が進入する内側において姿勢保持部材３４により連結部材３２と当接部材３３との間が連結されて、部材間の切れ目をなくすることにより、眼鏡フレーム１の着脱時において髪の毛等が引っ掛かったり、頭部に違和感を与えることなく眼鏡フレーム１を装着することができる。【００４５】
また、当接部材および姿勢保持部材が一体成型され、一部品で構成されることにより、部品点数を少なくして軽量化を図りつつ、コストを低減させることができる。また、別部品にて構成する場合に比べて、部品間の離脱を防止することができる等、部材の耐久性を向上させることができる。【００４６】
本実施形態において、前記連結部材３２は、前記テンプル本体３１に着脱自在に構成される。図３は図１の眼鏡フレーム１において連結部材３２を取り外したときの平面図である。【００４７】
図３に示すように、連結部材３２とテンプル本体３１とは、着脱自在となっている。テンプル本体３１から連結部材３２を取り外すことにより、連結部材３２およびそれに取り付けられている当接部材３３ならびに姿勢保持部材３４から構成される眼鏡フレーム用取り付け具３０を眼鏡フレーム１から取り外すことができる。したがって、テンプル３をテンプル本体３１のみで使用したり、テンプル本体３１に眼鏡フレーム用取り付け具３０を取り付けて使用したりと使用者の使用状況（ＴＰＯ）に応じて使い分けることができる。例えば、スポーツ等により、頭部を頻繁に動かす（揺れる）場合には眼鏡フレーム用取り付け具３０の連結部材３２をテンプル本体３１に接続して（図１の使用状態にして）ホールド性を高める一方、普段の使用時には、テンプル本体３１のみを使用して（図３の使用状態にして）、もしくは、テンプル本体３１の後端部３１ｒに眼鏡フレーム用取り付け具３０の代わりに一般的な（当接部材３３や姿勢保持部材３４を有しない）モダン（耳当て部材）を取り付けた状態で使用して、ファッション性（意匠性）を優先させるといった使い分けを行うことができる。なお、本実施形態においては、連結部材３２に設けられた挿通口からテンプル本体３１を挿通して眼鏡フレーム用取り付け具３０を眼鏡フレーム１に固定する構成としている。固定する構成は、これに限られず、両部材をねじ留めして固定する構成や、いずれか一方の部材をいずれか他方の部材で挟み込んで固定する構成等、種々採用可能である。【００４８】
図４は、第１実施形態に係るテンプル３の変形例を示す平面図である。図４（ａ）は、姿勢保持部材３４が第１姿勢である場合のテンプル３の平面図である。図４（ｂ）は、姿勢保持部材３４が第２姿勢である場合のテンプル３の平面図である。図４に示すように、本変形例においては、テンプル３は、テンプル本体３１と、連結部材３２と、当接部材３３と、姿勢保持部材３４とを具備する。姿勢保持部材３４の前端部３４ｆは、姿勢保持部材３４が第１姿勢から第２姿勢に切り替わる際には後方に、姿勢保持部材３４が第２姿勢から第１姿勢に切り替わる際には、前方にスライドする。本変形例のテンプル本体３１と当接部材３３とは、上記の実施形態で説明した構成と同一である。一方、連結部材３２と姿勢保持部材３４とは、上記の実施形態で説明した構成と異なる。【００４９】
本変形例における連結部材３２は、ガイド部材３２１が設けられている点が上記の実施形態で説明した構成と異なる。図５は、ガイド部材３２１と後述するスライド部材３４１との外観図である。図５（ａ）は、図４（ｂ）におけるガイド部材３２１とスライド部材３４１との近傍の拡大平面図である。図５（ｂ）は、図４（ａ）における矢印Ｙ１方向から見たガイド部材３２１とスライド部材３４１との近傍の拡大側面図である。図５（ｃ）は、図４（ｂ）における矢印Ｙ２方向から見たガイド部材３２１とスライド部材３４１との近傍の拡大側面図である。図４及び図５に示すように、ガイド部材３２１は、連結部材３２の内側かつ当接部材３３取り付け位置（軸部材３５）より前方に離間した位置に設けられている。かかるガイド部材３２１は、平面視台形状に形成され、中央部に前後方向に長い貫通孔３２２が形成されている。本変形例では、貫通孔３２２の貫通方向は、上下方向（軸部材３５の軸方向）とされている。【００５０】
本変形例における姿勢保持部材３４は、前端部３４ｆが前後方向にスライド可能な構成とされている点が上記の実施形態で説明した構成と異なる。図４及び図５に示すように、本変形例における姿勢保持部材３４は、前端部３４ｆをスライド可能とするため、ガイド部材３２１に対して前後方向にスライドするスライド部材３４１を具備する。かかるスライド部材３４１は、ガイド部材３２１に形成された貫通孔３２２に挿通可能な円柱又は角柱状に形成されている。かかるスライド部材３４１は、貫通孔３２２を前後方向に移動することで、ガイド部材３２１に対して前後方向にスライド可能とされている。【００５１】
かかる変形例によれば、第２姿勢から第１姿勢に姿勢保持部材３４を切り替えようとすると、姿勢保持部材３４が連結部材３２に沿った状態に湾曲した姿勢となることが可能な位置に、姿勢保持部材３４の前端部３４ｆのスライド部材３４１がスライドする。このように前端部３４ｆ（スライド部材３４１）がスライドすることで、姿勢保持部材３４の長さに関わらず、姿勢保持部材３４が連結部材３２に沿った状態に湾曲した姿勢（第１姿勢）に切り替わることができる。よって、本変形例によれば、姿勢保持部材３４の長さに関わらず、姿勢保持部材３４が連結部材３２に沿うため、眼鏡フレームのホールド性の維持が可能である。【００５２】
尚、図４に示すように、本変形例では、姿勢保持部材３４の前端部３４ｆは、姿勢保持部材３４が第１姿勢から第２姿勢に切り替わる際には後方に、姿勢保持部材３４が第２姿勢から第１姿勢に切り替わる際には、前方にスライドする。しかしながら、姿勢保持部材３４が第１姿勢から第２姿勢に切り替わる際には、姿勢保持部材３４の前端部３４ｆが前方に、姿勢保持部材３４が第２姿勢から第１姿勢に切り替わる際には、姿勢保持部材３４の前端部３４ｆが後方にスライドする構成も、本発明の技術的範囲に含まれる。【００５３】
ここで、本発明に係る眼鏡フレームの他の態様について説明する。図６は本発明に係る第２実施形態における眼鏡フレームの概略図である。図６（ａ）は第１姿勢における平面図であり、図６（ｂ）は第２姿勢における平面図である。第１実施形態と同様の構成については同じ符号を付し、説明を省略する。【００５４】
本実施形態の眼鏡フレーム１’が第１実施形態と異なるのは、第１実施形態におけるテンプル本体３１および連結部材３２の代わりに、一体のテンプル本体３１’を用いてテンプル３’が構成される点である。より具体的には、当接部材３３がテンプル本体３１’の後端部３１’ｒ側に配設され、当該後端部３１’ｒより後方に延設された部分が内方に回動可能に取り付けられる。また、姿勢保持部材３４の後端部３４ｒ側が前記当接部材３３の前端部３３ｆ側に連設される一方、姿勢保持部材３４の前端部３４ｆ側が前記テンプル本体３１’の内側かつ当接部材取り付け位置より前方に離間した位置に取り付けられる。前記姿勢保持部材３４は、可撓性を有し、前記当接部材３３の後端部３３ｒが内方に向かうように前記テンプル本体３１’に沿った状態に湾曲した第１姿勢（図６（ａ））と、当接部材３３の後端部３３ｒが外方に向かうように内方に向けて凸状に湾曲した第２姿勢（図６（ｂ））とに切り替わる。【００５５】
上記構成の眼鏡フレーム１’におけるテンプル３’によれば、眼鏡フレーム１’の前枠２に取り付けられたテンプル本体３１’の後端部３１’ｒに当接部材３３が配設されている。当接部材３３の、テンプル本体３１’の後端部３１’ｒより後方に延設された部分は、軸部材３５を介して、内方に回動可能に構成される。一方、当接部材３３の前端部３３ｆ側に姿勢保持部材３４の後端部３４ｆ側が連設されるとともに、姿勢保持部材３４の前端部３４ｆ側がテンプル本体３１’の内側であって、しかも当該テンプル本体３１’の当接部材取り付け位置より前方に離間した位置に固定部材３６を用いて取り付けられる。【００５６】
本実施形態においても、第１実施形態と同様に、姿勢保持部材３４を用いて、当接部材３３の後端部３３ｒの向きを内方（図６（ａ）の第１姿勢）および外方（図６（ｂ）の第２姿勢）に切り替え可能とすることにより、眼鏡フレーム１’の装着を容易にすることができるとともに、ホールド性をより向上させることができる。【００５７】
また、姿勢保持部材３４をテンプル本体３１’の内側に備えることにより、外観の意匠を損ねることなく上記効果を達成することができる。さらに、頭部が進入する内側において、テンプル本体３１’と当接部材３３との間を連結して、部材間の切れ目をなくすることにより、髪の毛等が引っ掛かったり、頭部に違和感を与えることなく眼鏡フレーム１’を装着することができる。【００５８】
なお、本実施形態においても、当接部材３３および姿勢保持部材３４が着脱可能に構成されてもよい。この際、固定部材３６は、姿勢保持部材３４側に一体となっていてもよいし、テンプル本体３１’に姿勢保持部材３４を挿通させる穴等を設け、当該穴に挿通して固定する構成としてもよい。【００５９】
本実施形態に係るテンプル３’の変形例として、前記テンプル本体３１’は、内側かつ当接部材取り付け位置より前方に離間した位置に、姿勢保持部材３４の前端部３４ｆを前後方向にスライドさせるガイド部材を具備し、姿勢保持部材３４の前端部３４ｆは、ガイド部材に対して前後方向にスライドするスライド部材を具備し、姿勢保持部材３４の前端部３４ｆは、姿勢保持部材３４が前記第１姿勢から第２姿勢に切り替わる際には前後方向の一方にスライドし、姿勢保持部材３４が第２姿勢から第１姿勢に切り替わる際には前後方向の他方にスライドする構成を挙げることができる。【００６０】
本変形例においては、第１実施形態に係るテンプル３の変形例と同様に、姿勢保持部材３４がテンプル本体３１’に沿うため、眼鏡フレーム１’のホールド性の維持が可能である。【００６１】
以上、本発明に係る実施の形態を説明したが、本発明は上記実施の形態に限定されるものではなく、その趣旨を逸脱しない範囲内で種々の改良、変更、修正が可能である。例えば、前枠２やテンプル３，３’等の材料や形状は、限定されない。軸部材３５の位置や形状、固定部材３６の態様についても種々採用し得る。また、上記実施形態においては、テンプル本体、連結部材および当接部材が水平に延びた構成に基づいて説明したが、これに限られず、下方に湾曲した構成（より一般的な眼鏡フレームの構成）としてもよい。また、上記実施形態においては、テンプル本体あるいは連結部材および当接部材が内方に湾曲している構成に基づいて説明したが、これに限られず、当接部材が内方に回動可能な限り、後方に真っ直ぐ延びた構成としてもよい。
【図１】
2007145157.tif 000003
【図２】
2007145157.tif 000004
【図３】
2007145157.tif 000005
【図４】
2007145157.tif 000006
【図５】
2007145157.tif 000007
【図６】
2007145157.tif 000008
【国際調査報告】
2007145157.tif 000009
2007145157.tif 000010
2007145157.tif 000011
2007145157.tif 000012